(57)【要約】【課題】  最大量子化雑音の大きさだけ振幅制限を行っても、広いダイナミックレンジの信号に対して振幅制限されることなく、信号の先端がクリップされず、量子化による過負荷が生じないで高品質な画像を伝送できることである。【解決手段】  送信側では、レンジ決定回路３が予測符号化済みの局部復号信号を用いて次のテレビ信号のレンジを適応的に変えて決定し、リミッター回路２がこの決定したレンジに基づいて、少くとも量子化器５の最大量子化雑音の大きさだけ、入力するテレビ信号を振幅制限して予測符号化回路１０に出力し、受信側では、送信側と同等な予測特性に従って、受信した伝送符号を復号した復号信号から、レンジ決定回路１５が次の復号信号のレンジを送信側と同様に決定し、このレンジに基づいて復号信号が送信側のディジタル信号のダイナミックレンジを超える場合、レベル変換器１４がこの復号信号の振幅を制限して出力している。【選択図】  図１
2005129972.tif 000002
【特許請求の範囲】
【請求項１】
入力アナログテレビ信号を所定のサンプリングタイミングでディジタルテレビ信号に変換するアナログ／ディジタル変換器と、前記ディジタルテレビ信号の振幅値の上限及び下限を制限するリミッター回路と、局部復号信号及び予測特性に従ってディジタルテレビ信号の予測信号を生成する予測器と、前記振幅制限後のディジタルテレビ信号と前記予測信号との差分を演算し予測誤差信号を生成する減算演算器と、この予測誤差信号を量子化し量子化出力信号を生成する量子化器と、この量子化出力信号を伝送符号に変換する符号変換器と、前記量子化出力信号と前記予測信号とを加算して前記局部復号信号を生成する加算器とを備えた予測符号化装置において、
前記局部復号信号を用いて前記ディジタルテレビ信号のダイナミックレンジを推定して適応的にダイナミックレンジをシフトするレンジ決定回路とを備え、
前記リミッター回路は、前記推定によりシフトしたダイナミックレンジに対して、当該ダイナミックレンジの上下を前記量子化器の最大量子化雑音の大きさだけ制限するように、前記ディジタルアナログ信号を振幅制限することを特徴とする予測符号化装置。
【発明の詳細な説明】
【技術分野】
【０００１】
本発明は、ディジタル化されたテレビ信号を予測符号化して符号化伝送する予測符号化復号化装置に関し、特に、折り返し量子化器を用いて過負荷特性を改善できる予測符号化復号化装置に関する。
【背景技術】
【０００２】
通常、ある時刻におけるディジタル化されたテレビ信号とこのテレビ信号の予測信号との差の予測誤差信号を演算して予測符号化し、この予測符号化された量子化出力信号を符号化伝送する予測符号化復号化装置の１つとして、入力ＰＣＭ信号と予測信号との差分（予測誤差信号）を量子化して伝送する差分ＰＣＭ装置（ＤＰＣＭ）がある。このＤＰＣＭの量子化器では、画像の入力信号が「ｎ」ビットの場合、この入力信号と予測信号との差分信号（予測誤差信号）は、「ｎ＋１」ビット以上になる。
【０００３】
このため、予測誤差信号を量子化して出力する量子化器は、予測誤差信号と同じダイナミックレンジが必要で、少くとも、「ｎ＋１」ビットのダイナミックレンジの予測誤差信号を量子化して出力できる量子化特性を有する必要性がある。このとき、量子化特性として、高いＳ／Ｎ特性と優れた過負荷特性との両方を十分満足できる特性を設定するには、限られたレベル数（量子化ビット数）では困難で、平坦部分の量子化雑音と過負荷による劣化との両方を目立たなくするために、多くの量子化ビット数が必要であった。
【０００４】
従来、この種の予測符号化復号化装置では、予測符号化回路として、上記の欠点を解決するために、折り返し量子化による方法が採用されている。この技術の内容については、例えば、Ｂｏｓｔｅｌｍａｎｎの折り返し量子化器としてドイツ特許２４０５５３４号公報に開示されている。
【０００５】
この公報による方法は、予測誤差信号を符号化伝送しても、量子化誤差の場合は正しく復号できることに基づき、上記の予測誤差信号を求める減算演算、および局部復号信号を求める加算演算による１ビット（オーバーフローおよびアンダーフローのビット）を無視してモジューロ演算し、ＤＰＣＭ符号化する際、正負の符号ビットを付加しないというものである。この予測誤差信号のダイナミックレンジは、入力信号と同じ「ｎ」ビットで出力されている。従って、この方式は、ダイナミックレンジが従来の半分の「ｎ」ビットで済むように量子化特性を定めることにより、過負荷特性を改善しているものである。
【０００６】
この構成では、ＤＰＣＭ符号化を行った際、量子化雑音の影響で局部復号信号（＝入力信号＋量子化雑音）が「ｎ」ビットのダイナミックレンジを超えないようにする必要がある。このため、予測符号化回路の入力側にリミッター回路２１（図２参照）を設け、このリミッター回路２１が入力信号の上限と下限とを最大量子化雑音の大きさだけ予め振幅制限することにより、上記の問題を解決している。
【０００７】
従来の予測符号化復号化装置の具体的構成について、図２を参照して説明する。一般に、図２に示されるように、予測符号化復号化装置では、送信側で、Ａ／Ｄ変換器１が、アナログのテレビ信号を、ｎビットのＰＣＭによる画像信号に変換して、リミッター回路２１を介して予測符号化回路１０に送出している。
【０００８】
予測符号化回路１０は、減算演算器４、量子化器５、加算演算器６、および予測器７により構成されている。
【０００９】
減算演算器４は画像入力信号と予測信号とを入力し、減算演算して予測誤差信号を求め、量子化器５に出力する。量子化器５は、受けた予測誤差信号を量子化して量子化出力信号として出力している。この量子化出力信号と予測信号とを加算演算器６が加算演算して、局部復号信号を求め、予測器７に送出する。予測器７は、受けた局部復号信号から予測特性に従って次の予測値を演算して予測信号を求める。
【００１０】
リミッター回路２１は、上述のように、量子化器５の有する量子化特性の最大量子化雑音の大きさだけ振幅の上限と下限とを制限している。
【００１１】
受信側では送信側に合せて、符号逆変換器１１が受けた伝送符号を逆変換して量子化出力信号を再生して加算演算器１２に送り、加算演算器１２が予測器１３からの予測値とｎビットのモジューロ演算による加算を行って、ｎビットの復号信号を得る。この復号信号が送信側の局部復号信号と一致する。復号信号はＤ／Ａ変換器１６によりアナログの画像信号に変換される。
【００１２】
このように、リミッターで入力信号の振幅制限をすることによってオーバーフローまたはアンダーフローを起こさず、正しいレンジで復号信号を得ることができる。
【００１３】
【特許文献１】ドイツ特許２４０５５３４号公報
【発明の開示】
【発明が解決しようとする課題】
【００１４】
上述した従来の予測符号化復号化装置では、予測符号化回路の入力側にリミッター回路を備え、入力画像信号の上限と下限とを最大量子化雑音の大きさだけ振幅制限しておく必要がある。この結果、画像信号の実質のダイナミックレンジが縮小され、アナログ信号を信号レンジの大きなＰＣＭ信号に変換する際、リミッター回路により水平同期期間中の水平同期信号の先端がクリップされてしまうという問題点がある。
【００１５】
これを詳述すれば、例えば、ＣＣＩＲ勧告６０１によるビデオ信号レベルは、８ビットによる２５６ステップのレベル範囲（０〜２５５）においては、黒レベルの値が「１６」に設定され、白レベルの値が「２３５」に設定されている。したがって、「−１２８〜１２７」のレンジでは、黒レベルの値は「−１１２」（＝−１２８＋１６）になり、白レベルの値は「１０７」（＝−１２８＋２３５）になる。
【００１６】
しかし、量子化器の最大量子化雑音の大きさが、例えば「１８」の場合、黒レベルの値は、「−１１０」（＝−１２８＋１８）で、リミッター回路によりクリップされることになる。最大量子化雑音の大きさが大きく、リミッター回路のクランプレベルが更に下に設定される場合には、クリップされる部分は更に大きくなる。更に、試験信号として「−１２８」から「１２７」までのレベルを有する正弦波信号を入力した場合、信号の上下がクリップされて波形歪みを生じる等の不都合が生じる。
【００１７】
本発明の課題は、予測符号化済みの局部復号信号を用いて次の入力信号のレンジを適応的に変えるリミッターを介して予測符号化することによって、リミッターで、入力信号に対して余裕を持ったレンジを決定でき、最大量子化雑音のため大きな上限と下限との振幅制限を行っても、広いダイナミックレンジの信号に対して振幅制限されることなく、ダイナミックレンジをフルに振り、水平同期信号等の上下での先端がクリップされず、かつ、量子化による過負荷が生じないで高品質な画像を伝送できる予測符号化復号化装置を提供することである。
【課題を解決するための手段】
【００１８】
本発明によれば、入力アナログテレビ信号を所定のサンプリングタイミングでディジタルテレビ信号に変換するアナログ／ディジタル変換器と、前記ディジタルテレビ信号の振幅値の上限及び下限を制限するリミッター回路と、局部復号信号及び予測特性に従ってディジタルテレビ信号の予測信号を生成する予測器と、前記振幅制限後のディジタルテレビ信号と前記予測信号との差分を演算し予測誤差信号を生成する減算演算器と、この予測誤差信号を量子化し量子化出力信号を生成する量子化器と、この量子化出力信号を伝送符号に変換する符号変換器と、前記量子化出力信号と前記予測信号とを加算して前記局部復号信号を生成する加算器とを備えた予測符号化装置において、前記局部復号信号を用いて前記ディジタルテレビ信号のダイナミックレンジを推定して適応的にダイナミックレンジをシフトするレンジ決定回路とを備え、前記リミッター回路は、前記推定によりシフトしたダイナミックレンジに対して、当該ダイナミックレンジの上下を前記量子化器の最大量子化雑音の大きさだけ制限するように、前記ディジタルアナログ信号を振幅制限することを特徴とする予測符号化装置を得ることができる。
【００１９】
上記手段において、リミッター回路が、推定によりシフトしたダイナミックレンジに対する入力信号の上限と下限とを最大量子化雑音の大きさだけ制限することにより、入力信号の信号レベルに応じてサンプル毎にダイナミックレンジを適応的にシフトするので、リミッター回路により振幅制限された入力信号が実質的に振幅制限を受けないようにすることができる。
【００２０】
また、符号化済みの局部復号信号を用いて入力信号に対するダイナミックレンジを推定して適応的にダイナミックレンジをシフトすることにより、ダイナミックレンジのシフト情報を送ることを不要にできる。
【発明の効果】
【００２１】
以上説明したように本発明によれば、送信側に、局部復号信号を用いて次のテレビ信号のレンジを決定し、この決定に基づいて、少くとも量子化器の最大量子化雑音の大きさだけ、入力するテレビ信号の上限と下限とを振幅制限して出力するリミッター手段を備え、受信側では、送信側と同等な予測特性に従って、受信した伝送符号を復号した復号信号から、次の復号信号のレンジを送信側と同様に決定し、このレンジに基づいて復号信号が送信側のディジタル信号のダイナミックレンジを超える場合、この復号信号の振幅を制限して出力するレベル変換手段を備えている。
【００２２】
この構成によって、レンジ決定回路で、入力信号のレベル信号に対して余裕を持ったレンジを決定でき、また、リミッターで、量子化雑音の影響を救うため、レンジの上限と下限とを最大量子化雑音の大きさだけ振幅制限しても、広いダイナミックレンジの信号に対して振幅制限されることなく、ダイナミックレンジをフルに振れる水平同期信号等の上下での先端がクリップされず、かつ、量子化による過負荷が生じないで高品質な画像を伝送できる予測符号化復号化装置を提供できる。
【発明を実施するための最良の形態】
【００２３】
次に、本発明について図面を参照して説明する。まず、図１の機能ブロック図を参照して構成について説明する。
【００２４】
図１に示された予測符号化復号化装置では、送信側で、入力信号を所定の振幅に制限して予測符号化回路１０に送出するリミッター回路２は、レンジ決定回路３からダイナミックレンジを受け、これに対する上限と下限とを最大量子化雑音の大きさだけ振幅制限している。レンジ決定回路３は、予測符号化回路１０で符合化済みの局部復号信号を受け、この局部復号信号を用いて入力信号のダイナミックレンジを推定して適応的にダイナミックレンジをシフトし、このダイナミックレンジをリミッター回路２に送出している。受信側では、送信側と同一のレンジ推定特性を有するレンジ決定回路１５を用いて、レベル変換器１４が、加算演算器１２の出力から復号信号を出力している。
【００２５】
このように、図１では、図２のブロック構成に対して、送信側で、レンジ決定回路３が追加され、受信側で、レベル変換器１４およびレンジ決定回路１５が追加されている。
【００２６】
次に、図１を参照して具体例を各構成要素毎に説明する。予測符号化復号化装置は、送信側に、Ａ／Ｄ変換器１、リミッター回路２、レンジ決定回路３、符号変換器８、および予測符号化回路１０を備え、受信側に、符号逆変換器１１、加算演算器１２、予測器１３、レベル変換器１４、レンジ決定回路１５、およびＤ／Ａ変換器１６を備えている。予測符号化回路１０は、減算演算器４、量子化器５、加算演算器６、および予測器７を有する。
【００２７】
Ａ／Ｄ変換器１は、入力するＮＴＳＣカラーテレビ信号をカラーサブキャリア周波数Ｆｓｃの３倍の標本化周波数で標本化し、「ｎ＝８」ビットのＰＣＭ信号（−１２８〜１２７のレベル範囲）に変換してリミッター回路２に出力する。
【００２８】
リミッター回路２は、レンジ決定回路３から出力されるレンジに従って、入力信号に対して信号の上部と下部とを最大量子化雑音Ｋの大きさだけ振幅制限して出力する。８ビットを超える値のレンジは、レンジの範囲が予め分かるので、レンジの値を下位８ビットで示すことにより表現できる。
【００２９】
レンジ決定回路３は、復号化済みの局部復号信号をもとに次の入力信号のダイナミックレンジを決定する。このレンジの決定については後述する。
【００３０】
減算演算器４は、振幅制限されたＰＣＭ信号と予測器７から受ける予測信号とを入力し、８ビットのモジューロ演算で減算され、８ビットの予測誤差信号を量子化器５に出力する。
【００３１】
量子化器５は、８ビットの予測誤差信号を量子化特性に従って量子化し、量子化出力信号として加算演算器６および符号変換器８に出力する。
【００３２】
ここで、量子化器５の量子化特性の具体的な例について説明する。量子化ステップの圧伸則に、正負対称で「０，１，３，５，１１，２１，３３，３６」とした４ビット（１５レベル）の量子化特性を用いるものとする。また、この圧伸則を用いて、隣合う量子化出力ステップの中間レベルを量子化入力の境界閾値とするように量子化特性を設定するものとする。この場合、予測誤差信号の入力レベル「−１２８〜１２７」に対して、量子化特性の最大量子化雑音の大きさＫは「１８」となる。従って、前述のリミッター回路２から出力されるＰＣＭ信号のレベル範囲は、「−１１０〜１０９」となる。
【００３３】
加算演算器６は、量子化出力信号と後述の予測器７の出力の予測信号とを８ビットのモジューロ演算で加算して局部復号信号を出力し、予測器７に供給する。予測器７は、予測特性に従って、次の予測値を演算して８ビットの予測信号を、減算演算器４および加算演算器６に出力する。
【００３４】
予測器７，１３の予測特性の具体例については、後述する。
【００３５】
符号変換器８は、量子化器６から受ける量子化出力信号を各量子化レベルを表す伝送符号に変換し、この伝送信号と復号化に必要な同期信号等の情報とを多重化して受信側に出力する。
【００３６】
受信側では、符号逆変換器１１が，受ける伝送符号を逆変換して量子化出力信号を再生して加算演算器１２に供給すると共に、同期信号等の情報を分離して必要部分に送出している。
【００３７】
加算演算器１２は、符号逆変換器１１から受ける量子化出力信号と予測器１３から受ける予測信号とを８ビットのモジューロ演算により加算して復号信号を生成して出力し、予測器１３、レベル変換器１４、およびレンジ決定回路１５に供給する。加算演算器１２から出力される復号信号は、８ビット構成であるが、レンジ決定回路１５で決定されるダイナミックレンジ内の値を有し、この値は、ダイナミックレンジを９ビットによるＰＣＭ表現された下位８ビットで示されている。
【００３８】
予測器１３は、送信側の予測器７と同一の予測特性を有し、この予測特性に従って復号信号から次の予測値を演算して８ビットの予測信号を出力する。
【００３９】
レベル変換器１４は、８ビットの復号信号を受け、レンジ決定回路１５から受けるダイナミックレンジをもとに下位８ビットで表される復号信号を９ビットによるＰＣＭ表現の復号信号にレベル変換する。この９ビットの復号信号は、８ビットのダイナミックレンジを超えた値を取ることもある。もともとの入力信号は、８ビットのＰＣＭ信号（レベル範囲「−１２８〜１２７」）であり、また、この範囲を超える復号信号は、８ビットのレンジを超えて発生して加えられた量子化雑音である。したがって、復号信号は８ビットのレベル「−１２８〜１２７」の範囲に入る値に上下を振幅制限されて出力される。
【００４０】
レンジ決定回路１５は、送信側のレンジ決定回路３と同一のレンジ推定特性を有し、加算演算器１２から出力される復号信号をもとに次の復号信号の取り得るダイナミックレンジを決定してレベル変換器１４に出力する。
【００４１】
Ｄ／Ａ変換器１６は、レベル変換器１４から出力されるＰＣＭ信号をアナログの復号信号に変換して出力する。
【００４２】
すなわち、本実施例によれば、フルレンジの振幅に振れる正弦波形を入力しても、リミッターで上下をクリップされることなく正弦波形の復号信号が得られ、最大量子化雑音Ｋで、過渡応答の良好な、高品質な符号化が実現できる。
【００４３】
次に、レンジ決定回路３のレンジ決定方法、およびリミッター回路２の振幅制限方法について具体例を説明する。
【００４４】
例えば、８ビットのＰＣＭ信号（レベル範囲「−１２８〜１２７」）を符号化する場合、ある時刻「ｉ」の局部復号信号Ｙｉから次の時刻「ｉ＋１」の入力信号Ｘ（ｉ＋１）のダイナミックレンジを表１のように決定して、リミッター回路２で上下を量子化雑音の大きさ（Ｋ）だけ振幅制限を行う。
【００４５】
【表１】
2005129972.tif 000003
【００４６】
一つ前のサンプルの入力信号のレベルが低い場合、局部復号信号をもとに、次のサンプルのダイナミックレンジは下にシフトされる。また、リミッター回路２で振幅制限されてもリミッター回路２の出力レンジの下限はレベル“−１２８”まで取り得る。他方、一つ前のサンプルの入力信号のレベルが高い場合、局部復号信号をもとに、次のサンプルのダイナミックレンジは、上にシフトされる。また、リミッター回路２で振幅制限されてもリミッター回路２の出力レンジの上限はレベル「１２７」まで取り得る。
【００４７】
すなわち、フルレンジの正弦波形を入力しても、信号が連続性を有しているため、局部復号信号を用いて次の信号のダイナミックレンジを推定してきめた場合、次の入力信号は推定したダイナミックレンジの範囲に十分な余裕をもって収まるので、リミッター回路２でレンジの上下を振幅制限しても、入力信号はクリップされることなくＤＰＣＭ符号化できる。
【００４８】
局部復号信号Ｙ（ｉ＋１）のダイナミックレンジは入力信号Ｘ（ｉ＋１）のダイナミックレンジに同じになる。しかし、もともとの画像信号の入力レンジは、８ビット（−１２８〜１２７のレベル範囲）であるので、復号信号の値がこの範囲を超える場合は、８ビットの範囲に制限してから復号信号として出力する。
【００４９】
予測符号化をモジューロ演算で行う場合は、ダイナミックレンジのシフトにより、８ビットの入力信号Ｘに対して適応的にシフトしたダイナミックレンジは「−１２８〜１２７」の範囲を超えてしまう。このダイナミックレンジの値をそのまま表現するには、９ビットの信号が必要であるが、元の入力信号のダイナミックレンジは、８ビットであり、これをシフトした範囲であることにより、９ビット表示の下位の８ビットを取り出して表現してもダイナミックレンジのどの値かを区別できる。例えば、下に「Ｍ」だけシフトしたダイナミックレンジは、「−１２８−Ｍ〜１２７−Ｍ」の範囲となる。これを下位８ビットで表現した「−１２８−Ｍ〜−１２９」の範囲の値は、８ビットの信号では、「１２８−Ｍ〜１２７」の範囲の信号に一意に対応できる。
【００５０】
適応的にレンジをシフトした場合でも、入力信号を量子化雑音Ｋの大きさだけリミッター回路２で決定されたレンジの上下を振幅制限しているので、局部復号信号（＝入力信号＋量子化雑音）がサンプル毎に適応的に決定された入力信号のダイナミックレンジを超えることはなく、受信側でもその入力信号に対するサンプル毎のダイナミックレンジは推定できるので正しく再生することができる。復号信号は下位８ビットで表されており、サンプル毎のダイナミックレンジをもとに正規の８ビットのレンジを超える場合は、正規の８ビットの範囲に制限して復号信号を得る。
【００５１】
また、別の差分符号化装置には、８ビットの量子化器特性（レベル範囲「−１２８〜１２７」）を折り返して、９ビット（レベル範囲「−２５６〜２５５」）の量子化特性を構成し、符号割り当ては８ビットの大きさの差になる２つのレベルに同一の符号を割り当てる方法がある。この場合、局部復号信号では、正負両方の量子化レベルから復号信号が求められたとき、８ビットのダイナミックレンジに入る復号信号が選択され再生される。この構成は、前述のＢｏｓｔｅｌｍａｎｎの折り返し量子化器に示されているものである。
【００５２】
次に、予測器７，１３の予測特性の具体例について説明する。ＮＴＳＣカラーテレビ信号が、カラーサブキャリア周波数Ｆｓｃの３倍の周波数で標本化される場合、カラーテレビ信号を直接、効率よく予測する予測関数Ｐの例に、次のようなＺ関数Ｐ（Ｚ−１）で示されるものがある。Ｐ（Ｚ−１）＝０．５Ｚ−１＋Ｚ−３−０．５Ｚ−４予測関数に従って予測器を構成する場合、本実施例では、８ビットを超えるレンジの信号を、下位８ビットを抜き出してＰＣＭ信号としてモジューロ演算しているので注意が必要である。
【００５３】
予測器は、予測器のハードウェアを簡素化するため、下位８ビットの局部復号信号の値をそのまま信号レベル値として用い、予測特性に従って構成されている。レンジがシフトされ、かつ、量子化雑音の影響で復号信号がダイナミックレンジを超える場合、下位８ビットの信号は正しい信号レベルを示していないので正しい予測が行われていないことになる。しかし、通常のテレビ信号では、局部復号信号が８ビットのダイナミックレンジを超えることは非常に少ない。
【００５４】
予測に際して、正しいレベルに戻した局部復号信号を用いて予測すれば、上記の点は改善されるが、ハードウェアは大きくなる。予測値を求める予測器内部の演算では、より正確な予測値を求めるため、局部復号信号は下位８ビットの信号のままでなく、レンジ決定回路で決められるダイナミックレンジをもとに９ビット表示の正しい信号レンジに戻した局部復号信号を用いる。求められた予測値がレンジ決定回路で決めるダイナミックレンジを超える場合は、この決められたレンジ内に振幅制限し、下位８ビットの信号として出力する。
【００５５】
上記説明では８ビットＰＣＭ信号の値は、「−１２８〜１２７」のレベル範囲を取るとしたが、８ビットの信号が「０〜２５５」のレベル範囲を取る場合について以下に説明する。この場合の構成を示すブロックは図１と同一である。
【００５６】
この場合、減算演算器４から出力される予測誤差信号は負の値もとり、「−２５６〜２５５」の９ビットのレベル範囲の値となるが、量子化し符号化して伝送する予測誤差信号は下位８ビット（レベル範囲「０〜２５５」）の値となる。この際、正負を示すサインビットは削除されて伝送されるが、量子化雑音の加算で復号信号が、ダイナミックレンジを超えないように予め入力信号を振幅制限しておけば正しく復号され、「０〜２５５」のレンジ範囲の復号信号が得られる。  この場合、量子化器の特性は、８ビット信号（レベル範囲「０〜２５５」）に対して定める。「２」の補数表示の９ビットの信号のサインビットを省いて、下位８ビットだけ取り出した際、９ビットで「−１２８〜−１」のレベル値は、下位８ビットで見ると「１２９〜２５５」のレベル値に対応する。従って、８ビット（レベル範囲「０〜２５５」）の予測誤差信号を量子化する量子化特性は、８ビットの下半分（レベル範囲「０〜１２７」）を正の「０〜１２７」のレベル値の予測誤差信号に対応させた量子化特性に、また、上半分（レベル範囲「１２８〜２５５」）を負の「−１２８〜−１」のレベル値の予測誤差信号にそれぞれ対応させて決められる。
【００５７】
前述した量子化器の圧伸則を用いて量子化特性を設定すれば、下位８ビットを正の信号とした予測誤差信号（レベル範囲「０〜２５５」）に対する量子化特性は、下位８ビットを「２」の補数とした予測誤差信号（レベル範囲「−１２８〜１２７」）に対する量子化特性に等しくなる。
【００５８】
同様に、８ビット信号のレベル範囲が、前述の「−１２８〜１２７」に対して「０〜２５５」であるように構成にする場合、図１に示されたものと同一のブロック構成でよく、また、同一の機能が発揮できる。
【００５９】
上記説明では、機能ブロックを図示したが、あくまで実施例であり、機能の配分によって、機能の分離・併合は自由であり、従って、上記説明が本発明を限定するものではない。
【図面の簡単な説明】
【００６０】
【図１】本発明の一実施例を示す機能ブロック図である。
【図２】従来の一例を示す機能ブロック図である。
【符号の説明】
【００６１】
１  Ａ／Ｄ変換器
２  リミッター回路
３，１５  レンジ決定回路
４  減算演算器
５  量子化器
６，１２  加算演算器
７，１３  予測器
８  符号変換器
１０  予測符号化回路
１１  符号逆変換器
１４  レベル変換器
１６  Ｄ／Ａ変換器
【図１】
2005129972.tif 000004
【図２】
2005129972.tif 000005